(57)【要約】各ブレード間の配線の配線数を低減するために、ブレード装置は、被制御ブレードを制御するための制御情報及び前記被制御ブレードを監視するための監視情報のうちの少なくとも一方の情報である第一情報を、無線通信により前記被制御ブレードへ送付する制御ブレードと、受信した前記第一情報に従う処理を行う前記被制御ブレードと、を備える。
2019163713.tif 000002
【特許請求の範囲】
【請求項１】
被制御ブレードを制御するための制御情報及び前記被制御ブレードを監視するための監視情報のうちの少なくとも一方の情報である第一情報を、無線通信により前記被制御ブレードへ送付する制御ブレードと、
受信した前記第一情報に従う処理を行う前記被制御ブレードと、
を備える、ブレード装置。
【請求項２】
前記無線通信が光空間通信である、請求項１に記載されたブレード装置。
【請求項３】
前記第一情報が送付先の前記被制御ブレードを表す送付先情報を含む、請求項１又は請求項２に記載されたブレード装置。
【請求項４】
前記被制御ブレードを複数備え、前記制御ブレードは、隣接しない前記被制御ブレードである第二被制御ブレードに対し、隣接する前記被制御ブレードである第一被制御ブレードを介して、前記第一被制御ブレードと前記第二被制御ブレードとの間の第二の光空間通信により、前記第一情報を送付する、請求項１乃至請求項３のうちのいずれか一に記載されたブレード装置。
【請求項５】
前記制御ブレードは、前記第二被制御ブレードに対し、二枚以上の前記被制御ブレードを介して行われる前記第二の光空間通信により、前記第一情報を送付する場合がある、請求項４に記載されたブレード装置。
【請求項６】
前記制御ブレードは、前記第二被制御ブレードに対し、前記制御ブレードと前記第二被制御ブレードとの間に設置されたすべての前記被制御ブレードを介して行われる前記第二の光空間通信により、前記第一情報を送付する、請求項４又は請求項５に記載されたブレード装置。
【請求項７】
前記被制御ブレードは、前記制御ブレードに対し、第三の光空間通信により、第二情報を送付する、請求項１乃至請求項６のうちのいずれか一に記載されたブレード装置。
【請求項８】
前記無線通信が第一の光空間通信によるものである、前記第一の光空間通信と、前記第三の光空間通信とで、用いられる光の波長が異なる、請求項７に記載されたブレード装置。
【請求項９】
前記第二情報が送付元の前記被制御ブレードを表す送付元情報を含む、請求項７又は請求項８に記載されたブレード装置。
【請求項１０】
前記第二情報が、前記第一情報への応答情報を含む、請求項７乃至請求項９のうちのいずれか一に記載されたブレード装置。
【請求項１１】
前記被制御ブレードを複数備え、前記制御ブレードと隣接しない前記被制御ブレードである第四被制御ブレードは、前記制御ブレードと隣接する前記被制御ブレードである第三被制御ブレードを介して、前記第三被制御ブレードと前記第四被制御ブレードとの間の第四の光空間通信により、前記制御ブレードに対し、前記第一情報を送付する、請求項７乃至請求項１０のうちのいずれか一に記載されたブレード装置。
【請求項１２】
前記第四被制御ブレードは、前記制御ブレードに対し、二枚以上の前記被制御ブレードを介して行われる前記第四の光空間通信により、前記第二情報を送付する場合がある、請求項１１に記載されたブレード装置。
【請求項１３】
前記第四被制御ブレードは、前記制御ブレードに対し、前記第四被制御ブレードと前記制御ブレードとの間に設置されたすべての前記被制御ブレードを介して行われる前記第四の光空間通信により、前記第二情報を送付する、請求項１１又は請求項１２に記載されたブレード装置。
【請求項１４】
前記制御ブレードと前記被制御ブレードとが略平行である、請求項１乃至請求項１３のうちのいずれか一に記載されたブレード装置。
【請求項１５】
前記制御ブレードと前記被制御ブレードとがシェルフに格納されている、請求項１乃至請求項１４のうちのいずれか一に記載されたブレード装置。
【請求項１６】
前記制御ブレードと前記被制御ブレードとの間に電気配線がある、請求項１乃至請求項１５のうちのいずれか一に記載されたブレード装置。
【発明の詳細な説明】
【技術分野】
【０００１】
本発明は、複数のブレードを備えるブレード装置に関する。
【背景技術】
【０００２】
伝送装置等においては、構成する各機能ブロックを、等しい形状の基板であるブレードの各々に分割して配置し、配置したブレードをシェルフ等に搭載するブレード構造を有する場合がある。ブレード構造は、実装密度の向上や、フレキシビリティ確保を目的とするものである。【０００３】
ブレード構造を有する装置（以下、ブレード装置という。）では、ブレード装置を構成する各ブレードにおける動作の同期をとることが必要である。そのため、ブレード装置には、同期をとるための制御等が行われる。一般的な装置においては、この制御を行うための制御インタフェースはバックボードにおいて配線される。【０００４】
図１は、一般的なブレード装置の例であるブレード装置５０１の構成を表す概念図である。【０００５】
ブレード装置５０１は、制御ブレード１００と、Ｎ枚のブレードである被制御ブレード２０１乃至２０Ｎと、を備える。【０００６】
制御ブレード１００は、制御処理部１０３とハブ１０２とを備える。【０００７】
被制御ブレード２０１乃至２０Ｎの各々は、被制御処理部２５１１乃至２５１Ｎの対応する各々を備える。【０００８】
制御ブレード１００の制御処理部１０３は、ＣＰＵ、メモリ及びペリフェラルデバイス等を備える。ここで、ＣＰＵはｃｅｎｔｒａｌ  ｐｒｏｃｅｓｓｉｎｇ  ｕｎｉｔの略である。制御処理部１０３は、制御ブレード１００の内部の配線によりハブ１０２と接続される。【０００９】
制御処理部１０３は、被制御ブレード２０１乃至２０Ｎの各々（各被制御ブレード）の動作を制御及び監視する。当該制御は、例えば、各被制御ブレードにおける動作条件の設定である。また、当該監視は、例えば、故障や処理性能の監視である。【００１０】
制御処理部１０３は、当該制御のための制御情報や、当該監視のための監視情報を含む信号を生成し、ハブ１０２に入力する。当該信号は、例えば、Ｅｔｈｅｒｎｅｔ（登録商標）における１０００Ｇ  ＢＡＳＥ−Ｔ信号である。【００１１】
ハブ１０２は、制御処理部１０３が生成した前記信号を、各被制御ブレードに分配する。ハブ１０２は、また、各被制御ブレードから送付された応答情報等を含む信号を、制御処理部１０３に入力する。【００１２】
各被制御ブレードの各被制御処理部は、制御ブレード１００から送付された前記信号に従う動作を行う。また、各被制御ブレードの各被制御処理部は、制御ブレード１００から送付された信号への所定の応答情報等を含む信号を、制御ブレード１００に送付する。【００１３】
各被制御ブレードは、略等しい形状のブレード型の基板上に各被制御処理部等を形成したものである。ブレードの種類及び数Ｎは、装置に要求される機能、規模に応じて異なる。各被制御ブレードの各被制御処理部は、ＣＰＵ、メモリ及びペリフェラルデバイス等を備える。ハブ１０２と各被制御ブレードの各被制御処理部とは、各被制御ブレード内の配線とシェルフのバックボードにおける配線を介して接続される。【００１４】
ここで、特許文献１は、光信号エミッタから、１個の発散素子によって複数のノードのうち１個の光信号をファンアウトし、集光、集束素子により、１個のレシーバに、光信号をブロードキャスト送信する方法を開示する。【００１５】
また、特許文献２は、複数の制御ボードがバックボードに設けられたコネクタを介して連装設置され、制御ボード及びバックボードに形成された配線パターンにより高周波デジタル信号伝達を行うように構成された電子機器を開示する。
【先行技術文献】
【特許文献】
【００１６】
【特許文献１】国際公開第２００４／０４２９６５号
【特許文献２】特開２００９−１８８５７９号公報
【発明の概要】
【発明が解決しようとする課題】
【００１７】
背景技術の項で説明したブレード装置においては、各ブレードは、前述のようにシェルフのバックボードにおける配線を介して接続される。実装、設計技術の向上により、バックボード一配線あたり、ギガバイトの帯域をこえる伝送が可能となっている。【００１８】
しかしながら、伝送装置が収容する信号の広帯域化も進んでいる。伝送装置が収容する信号の広帯域化が進むことは、伝送装置が単位時間あたりに処理するデータ量が増大することを意味する。そのため、バックボードにおいて単位時間当たりに伝送されるデータ量も増大する。【００１９】
バックボードにおいて単位時間に伝送されるデータ量を増やすためには、単位配線あたりのビットレートを高くすることと、配線の本数を増やし、各配線に並列でデータを転送させることとが有効である。【００２０】
ビットレートを高くすることは、ノイズ耐力の低下をもたらし、伝送による波形の歪み等の影響でエラーが発生しやすくする。受信側で誤り訂正をかけることは可能であるが、エラー率が高くなると訂正限界を越え、訂正することはできなくなる。従い、単位配線あたりのビットレートを大きくすることだけで単位時間当たりに伝送するデータ量を増やすには限界がある。【００２１】
そのような場合、配線数を増やすことが有効である。ただ、配線数を増やすためにはバックボードの配線エリアを多く確保することが必要になる。しかしながら、バックボードにおける配線エリアの確保が困難な場合がある。【００２２】
本発明は、各ブレード間の配線の配線数を低減し得るブレード装置等の提供を目的とする。
【課題を解決するための手段】
【００２３】
本発明のブレード装置は、被制御ブレードを制御するための制御情報及び前記被制御ブレードを監視するための監視情報のうちの少なくとも一方の情報である第一情報を、無線通信により前記被制御ブレードへ送付する制御ブレードと、受信した前記第一情報に従う処理を行う前記被制御ブレードと、を備える。
【発明の効果】
【００２４】
本発明のブレード装置等は、各ブレード間の配線の配線数を低減し得る。
【図面の簡単な説明】
【００２５】
【図１】一般的なブレード装置の構成例を表す概念図である。
【図２】本実施形態のブレード装置の構成例を表す概念図である。
【図３】被制御ブレードの第一の例を表す概念図である。
【図４】被制御ブレードの第二の例を表す概念図である。
【図５】送信部及び受信部の被制御処理部との接続例を表す概念図である。
【図６】被制御処理部が送付された制御監視情報に関して行う処理の処理フロー例を表す概念図である。
【図７】実施形態のブレード装置の最小限の構成を表すブロック図である。
【発明を実施するための形態】
【００２６】
［構成と動作］
図２は、本実施形態のブレード装置の例であるブレード装置５０６の構成を表す概念図である。
【００２７】
図２（ａ）は、ブレード装置５０６の第一の側面図である。また、図２（ｂ）は、ブレード装置５０６ａの図２（ａ）に表す矢印９０１ｃの向きを見た場合を想定した第二の側面図である。
【００２８】
ブレード装置５０６は、制御ブレード１００と、Ｎ枚の被制御ブレードである被制御ブレード２０１乃至２０Ｎと、バックボード２６１とを備える。
【００２９】
制御ブレード１００及び被制御ブレード２０１乃至２０Ｎの各々は、各々の面が互いに略平行になるように、図示しないシェルフにより図２の上下方向に等間隔に配置されている。
【００３０】
制御ブレード１００は、基板１０１と、制御処理部１０３と、送信部１０６ｂと受信部１１１ｂとコネクタ１１６０ａ及び１１６０ｂとを備える。
【００３１】
基板１０１には、制御処理部１０３の備える図示しない各構成部分間の配線や、制御処理部１０３、送信部１０６ｂ、受信部１１１ｂ、コネクタ１１６０ａ及び１１６０ｂの各々をつなぐ図示しない配線等が形成されている。
【００３２】
コネクタ１１６０ａ及び１１６０ｂの各々は、バックボード２６１上の図示しない配線により、各被制御ブレードのコネクタと接続されている。
【００３３】
制御処理部１０３は、ＣＰＵ、メモリ及びペリフェラルデバイス等を備える。ここで、ＣＰＵはｃｅｎｔｒａｌ  ｐｒｏｃｅｓｓｉｎｇ  ｕｎｉｔの略である。制御処理部１０３は、基板１０１に形成された配線により、送信部１０６ｂ、受信部１１１ｂ及びコネクタ１１６０ａの各々に接続されている。
【００３４】
制御処理部１０３は、被制御ブレード２０１乃至２０Ｎの各々（各被制御ブレード）の動作を制御及び監視する。当該制御は、例えば、各被制御ブレードにおける動作条件の設定である。また、当該監視は、例えば、故障や処理性能の監視である。
【００３５】
制御処理部１０３は、当該制御のための制御情報や当該監視のための監視情報（以下、「制御監視情報」という。）を含む電気信号を生成し、送信部１０６ｂに入力する。当該電気信号は、例えば、Ｅｔｈｅｒｎｅｔ（登録商標）における１０００Ｇ  ＢＡＳＥ−Ｔ信号である。
【００３６】
制御処理部１０３は、また、受信部１１１ｂから、各被制御ブレードからの情報の送付を受けた場合には、当該情報に伴う処理を行う。
【００３７】
制御ブレード１００の送信部１０６ｂは、被制御ブレード２０１の受信部２１１１ａに対向している。送信部１０６ｂは、制御処理部１０３から送付された電気信号を光信号に変換する。そして、送信部１０６ｂは、当該光信号を、被制御ブレード２０１の受信部２１１１ａに向けて送付する。当該光信号には、前述の制御監視情報が含まれる。当該光信号による空間光通信により、制御ブレード１００から被制御ブレード２０１への前記制御監視情報の伝達が行われる。
【００３８】
前記光信号には、送付先の被制御ブレードを表す送付先情報が格納されている。当該送付先情報は、例えば、制御監視情報の先頭部に格納されている。
【００３９】
制御ブレード１００の受信部１１１ｂは、被制御ブレード２０１の送信部２０６１ａに対向している。受信部１１１ｂは、被制御ブレード２０１の送信部２０６１ａから受けた光信号を電気信号に変換する。当該光信号には、前記制御監視情報に対する応答情報が含まれる。
【００４０】
当該応答情報には、その応答情報を含む信号を送付した被制御ブレードを表す送付元情報が格納されている。当該送付元情報は、例えば、前記応答情報の先頭部に格納されている。制御処理部１０３は、当該送付元情報により、その応答情報の送付元の被制御ブレードを特定する。
【００４１】
被制御ブレード２０ｖ（ｖは１以上Ｎ以下）は、基板２０１ｖと、被制御処理部２５１ｖと、送信部２０６ｖａ及び２０６ｖｂと、受信部２１１ｖａ及び２１１ｖｂと、コネクタ２１６ｖａ及び２１６ｖｂとを備える。
【００４２】
基板２０１ｖには、被制御処理部２５１ｖの備える各部分間の配線や、被制御処理部２５１ｖ、送信部２０６ｖａ及び２０６ｖｂ、受信部２１１ｖａ及び２１１ｖｂ、コネクタ２１６１ａ及び２１６１ｂの各々を結ぶ図示しない配線が形成されている。
【００４３】
コネクタ２１６ｖａ及び２１６ｖｂの各々は、バックボード２６１上の図示しない配線により、制御ブレード１００や他の被制御ブレードのコネクタと接続されている。
【００４４】
被制御ブレード２０ｖが備える受信部２１１ｖａは、対向する送信部が送付する光信号を電気信号に変換する。
【００４５】
当該送信部は、ｖが１の時は、制御ブレード１００の送信部１０６ｂである。前記送信部は、また、ｖが２以上Ｎ以下の時は、被制御ブレード２０（ｖ−１）の送信部２０６（ｖ−１）ｂである。
【００４６】
受信部２１１ｖａは、前記電気信号を、被制御処理部２５１ｖの入力端子及び送信部２０６ｖｂに入力する。
【００４７】
送信部２０６ｖｂは、受信部２１１ｖａから電気信号が入力された場合には、当該電気信号を光信号に変換する。当該光信号は、送信部２０６ｖｂに対向する、被制御ブレード２０（ｖ＋１）の受信部２１１（ｖ＋１）ａに送付される。当該光信号による空間光通信により、被制御ブレード２０ｖから被制御ブレード２０（ｖ＋１）への、前記制御監視情報の伝達が行われる。
【００４８】
ただし、ｖの値がＮの場合は、対向する送信部２０６ｖｂに対向する受信部２１１（ｖ＋１）ａが存在しないので、前記光信号は、図２に表す下方に放出され、図２に表すいずれの受信部にも入力されない。
【００４９】
被制御処理部２５１ｖは、Ｖ＝Ｎの場合に、最下部に位置することを検知して、送信部２０６Ｎｂに制御信号を送付して、送信部２０６Ｎｂから下方への前記光信号の放出を停止させても構わない。その場合、被制御処理部２５１ｖは、前記検知を、例えば、受信部２１１Ｎｂへの光信号の入力が所定の期間無いことを判定することにより行う。
【００５０】
一方、受信部２１１ｖｂには、受信部２１１ｖｂに対向する、被制御ブレード２０（ｖ＋１）の送信部２０６（ｖ＋１）ａから送付された光信号が入力される。当該光信号には、前述の応答情報が含まれる。ただし、ｖの値がＮの場合は、受信部２１１ｖｂに対向する送信部は存在しないので、受信部２１１ｖｂに光信号は入力されない。
【００５１】
受信部２１１ｖｂは、入力された光信号を電気信号に変換する。当該電気信号は、送信部２０６ｖａに入力される。
【００５２】
送信部２０６ｖａは、受信部２１１ｖｂ又は被制御処理部２５１ｖから送付された電気信号を光信号に変換する。当該光信号は、送信部２０６ｖａに対向する、被制御ブレード２０（ｖ−１）の受信部２１１（ｖ−１）ｂに送付される。当該光信号による空間光通信により、被制御ブレード２０ｖから被制御ブレード２０（ｖ−１）への、情報の伝達が行われる。ただし、ｖの値が１の場合は、前記光信号は、送信部２０６１ａに対向する、制御ブレード１００の受信部１１１ｂに送付される。
【００５３】
被制御処理部２５１ｖは、受信部２１１ｖａから電気信号が送付された場合は、当該電気信号に含まれる制御管理情報が、被制御ブレード２０ｖ宛のものかについての判定を行う。被制御処理部２５１ｖは、当該判定を、例えば、制御管理情報に含まれる前述の送付先情報により行う。
【００５４】
被制御処理部２５１ｖは、前記制御管理情報が被制御ブレード２０ｖ宛のものであることを判定した場合には、その制御管理情報に従う処理を行う。当該処理には、例えば、その制御管理情報に対応する応答情報の制御ブレード１００への送付が含まれる。
【００５５】
被制御処理部２５１ｖは、当該応答情報の制御ブレード１００への送付を行う場合には、当該応答情報を含む電気信号を送信部２０６ｖａに送付する。
【００５６】
図３は、図２に表す被制御ブレード２０ｖ（ｖは１以上Ｎ以下）を表す概念図である。
【００５７】
図３（ａ）は、被制御ブレード２０ｖを、図２（ａ）と同じ見方をした場合を想定した図である。図３（ｂ）は、被制御ブレード２０ｖの、図３（ａ）に表す矢印９０１ａの向きを見た場合を想定した図である。図３（ｃ）は、被制御ブレード２０ｖの、図３（ａ）に表す矢印９０１ｂの向きを見た場合を想定した図である。
【００５８】
基板２０１ｖの面９０６ａには、送信部２０６ｖａと受信部２１１ｖａとが配置されている。また、面９０６ｂには、受信部２１１ｖｂと送信部２０６ｖｂとが配置されている。
【００５９】
送信部２０６ｖａと受信部２１１ｖｂとは、図３（ｂ）及び図３（ｃ）に表す見方において、同じ位置に配置されている。また、受信部２１１ｖａと送信部２０６ｖｂとは、図３（ｂ）及び図３（ｃ）に表す見方において、同じ位置に配置されている。
【００６０】
送信部２０６ｖａと受信部２１１ｖｂと被制御処理部２５１ｖとは、図示しない配線により接続されている。また、受信部２１１ｖａと送信部２０６ｖｂと被制御処理部２５１ｖとは、図示しない配線により接続されている。
【００６１】
送信部２０６ｖａと受信部２１１ｖａ、及び、受信部２１１ｖｂと送信部２０６ｖｂ、の各々は、互いに離れた位置に設置されている。
【００６２】
図２に表す送信部２０６ｖａが受信部２１１（ｖ−１）ｂに送付する第一光信号と、送信部２０６（ｖ−１）ｂが受信部２１１ｖａに送付する第二光信号とは、重なりあわない。二つの同じ波長の光信号が重なり合うと光の干渉が生じる。その場合、光信号の送受に支障が生じる場合がある。しかしながら、図３に表す配置の場合は、前記第一光信号と前記第二光信号とが重なりあわないので、送信部２０６ｖａと送信部２０６（ｖ−１）ｂとで同じ波長の光信号を出力したとしても、光信号の正常な送受が行われ得る。
図３に表す配置の場合は、光の干渉が生じないので、例えば、送信部と対応する受信部との間の光空間通信に係る通信方式に、波長が定められている、ＩｒＳｉｍｐｌｅ方式やＩｒＤＡに準拠する方式を用いることができる。ここで、  ＩｒＳｉｍｐｌｅは、Ｉｎｆｒａｒｅｄ  Ｓｉｍｐｌｅの略である。また、ＩｒＤＡは、Ｉｎｆｒａｒｅｄ  Ｄａｔａ  Ａｓｓｏｃｉａｔｉｏｎの略である。
【００６３】
図３に表す配置の場合において、送信部２０６ｖａと送信部２０６（ｖ−１）ｂとで異なる波長の光信号を出力しても構わない。
【００６４】
図４は、被制御ブレード２０ｖにおける送信部及び受信部の配置のバリエーションを表す概念図である。
【００６５】
図４に表す配置例においては、送信部２０６ｖａと受信部２１１ｖａと、及び、受信部２１１ｖｂと送信部２０６ｖｂと、は互いに近接している。
【００６６】
図４に表す配置の場合、図２に表す送信部２０６ｖａが受信部２１１（ｖ−１）ｂに送付する第一光信号と、送信部２０６（ｖ−１）ｂが受信部２１１ｖａに送付する第二光信号とは、重なりあう。二つの同じ波長の光信号が重なり合うと光の干渉が生じる。その場合、光信号の送受に支障が生じる場合がある。従い、図４に表す配置の場合、送信部２０６ｖａと送信部２０６（ｖ−１）ｂとで同じ波長の光信号を出力するのは、光信号の送受に不都合が生じ得る。しかしながら、図４に表す場合においても、送信部２０６ｖａと送信部２０６（ｖ−１）ｂとで、干渉の生じない異なる波長の光信号を出力するようにすることにより、光信号の正常な送受が行われ得る。
【００６７】
図５は、被制御ブレード２０ｖ（ｖは１以上Ｎ以下）における、送信部２０６ｖａ、送信部２０６ｖｂ、受信部２１１ｖａ及び受信部２１１ｖｂの各々と、被制御処理部２５１ｖとの接続例を表す概念図である。
【００６８】
受信部２１１ｖａは、分岐部２２１ｖにより、被制御処理部２５１ｖの入力端子である端子Ａ及び送信部２０６ｖｂに接続されている。また、受信部２１１ｖｂ及び被制御処理部２５１ｖの出力端子である端子Ｂは、分岐部２２１ｖにより、送信部２０６ｖａに接続されている。
［処理フロー例］
図６は、被制御処理部２５１ｖが、送付された制御監視情報に関して行う処理の処理フロー例を表す概念図である。当該制御監視情報を含む光信号は、ｖの値が１の場合は、制御ブレード１００より、被制御ブレード２０ｖへ直接送付されたものである。前記光信号は、ｖの値が２以上Ｎ以下の場合は、ｍの値がｖ−１以下の値の被制御ブレード２０ｍの各々を介して、制御ブレード１００から被制御ブレード２０ｖへ送付されたものである。
【００６９】
被制御処理部２５１ｖは、例えば、外部からの開始情報の入力により、図６に表す処理を開始する。
【００７０】
そして、被制御処理部２５１ｖは、Ｓ１０１の処理として、受信部２１１ｖａが、光信号を受信したかについての判定を行う。
【００７１】
被制御処理部２５１ｖは、Ｓ１０１の処理による判定結果がｙｅｓの場合は、Ｓ１０２の処理を行う。一方、被制御処理部２５１ｖは、Ｓ１０１の処理による判定結果がｎｏの場合は、Ｓ１０１の処理を再度行う。
【００７２】
被制御処理部２５１ｖは、Ｓ１０２の処理を行う場合は、同処理として、Ｓ１０１の処理により受信したことを判定した光信号に含まれる情報が、被制御ブレード２０ｖ宛のものかについての判定を行う。
【００７３】
被制御処理部２５１ｖは、Ｓ１０２の処理による判定結果がｙｅｓの場合は、Ｓ１０３の処理を行う。
【００７４】
一方、被制御処理部２５１ｖは、Ｓ１０２の処理による判定結果がｎｏの場合は、Ｓ１０１の処理を再度行う。
【００７５】
被制御処理部２５１ｖは、Ｓ１０３の処理を行う場合は、同処理として、Ｓ１０２の処理により被制御ブレード２０ｖ宛のものであることを判定した情報に含まれる制御監視情報に従う処理を実行する。
【００７６】
そして、被制御処理部２５１ｖは、Ｓ１０４の処理として、図６に表す処理を終了するかについての判定を行う。被制御処理部２５１ｖは、当該判定を、例えば、外部からの終了情報の入力の有無を判定することにより行う。
【００７７】
被制御処理部２５１ｖは、Ｓ１０４の処理による判定結果がｙｅｓの場合は、図６に表す処理を終了する。
【００７８】
一方、被制御処理部２５１ｖは、Ｓ１０４の処理による判定結果がｎｏの場合は、Ｓ１０１の処理を再度行う。
［効果］
本実施形態のブレード装置は、制御ブレードから各被制御ブレードへの制御監視情報の送付を、バックボード上の配線を介して行わず、光空間通信により行う。そのため、前記ブレード装置は、バックボードにおける配線の配線数を低減し得る。
【００７９】
以上の説明においては、各ブレード間の制御情報等の送受を光空間通信により行う場合について説明した。しかしながら、本発明における各ブレード間の制御情報等の送受は、電波による無線通信により行われても構わない。
【００８０】
ただし、各ブレード間の制御情報等の送受を光空間通信により行うことは、前記送受を電波による無線通信で行う場合と比較して、次の有利な点が期待できる。
【００８１】
電波と比較して波長の短い光は回折等による影響が小さく指向性を与えやすい。そのため、密度の高い実装を想定した場合には、混信の影響を受けづらい光空間通信は電波による無線通信と比較して有利と考えられる。
【００８２】
また、特に高速信号を扱う伝送装置を想定した場合には、空間伝搬する電波の影響が無視できない。ブレード間の情報の送受に用いられる電波の電力が弱かったとしても、ブレードバックボード上の配線を通過する電気信号に干渉し、信号エラーの増加、雑音耐性の低下、ジッタ／ワンダ特性への悪影響等をもたらす可能性がある。従い、この観点からも、配線を通過する電気信号への影響の無視できる光空間通信は電波による無線通信と比較して有利と考えられる。
【００８３】
図７は、実施形態のブレード装置の最小限の構成であるブレード装置５０６ｘの構成を表すブロック図である。
【００８４】
ブレード装置５０６ｘは、制御ブレード１００ｘと、被制御ブレード２０ｖｘとを備える。
【００８５】
制御ブレード１００ｘは、被制御ブレード２０ｖｘを制御するための制御情報及び被制御ブレード２０ｖｘを監視するための監視情報のうちの少なくとも一方の情報である第一情報を、無線通信により被制御ブレード２０ｖｘへ送付する。
【００８６】
被制御ブレード２０ｖｘは、受信した前記第一情報に従う処理を行う。
【００８７】
制御ブレード１００ｘは、前記第一情報を光空間通信により被制御ブレード２０ｖｘに送付する。そのため、ブレード装置５０６ｘは、前記第一情報を被制御ブレード２０ｖｘに送付するための配線を必要としない。従い、ブレード装置５０６ｘは、各ブレード間の配線の配線数を低減し得る。
【００８８】
そのため、ブレード装置５０６ｘは、前記構成により、［発明の効果］の項に記載した効果を奏する。
【００８９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００９０】
また、前記の実施形態の一部又は全部は、以下の付記のようにも記述され得るが、以下には限られない。
（付記１）
被制御ブレードを制御するための制御情報及び前記被制御ブレードを監視するための監視情報のうちの少なくとも一方の情報である第一情報を、無線通信により前記被制御ブレードへ送付する制御ブレードと、
受信した前記第一情報に従う処理を行う前記被制御ブレードと、
を備える、ブレード装置。
（付記２）
前記無線通信が光空間通信である、付記１に記載されたブレード装置。
（付記３）
前記第一情報が送付先の前記被制御ブレードを表す送付先情報を含む、付記１又は付記２に記載されたブレード装置。
（付記４）
前記被制御ブレードを複数備え、前記制御ブレードは、隣接しない前記被制御ブレードである第二被制御ブレードに対し、隣接する前記被制御ブレードである第一被制御ブレードを介して、前記第一被制御ブレードと前記第二被制御ブレードとの間の第二の光空間通信により、前記第一情報を送付する、付記１乃至付記３のうちのいずれか一に記載されたブレード装置。
（付記５）
前記制御ブレードは、前記第二被制御ブレードに対し、二枚以上の前記被制御ブレードを介して行われる前記第二の光空間通信により、前記第一情報を送付する場合がある、付記４に記載されたブレード装置。
（付記６）
前記制御ブレードは、前記第二被制御ブレードに対し、前記制御ブレードと前記第二被制御ブレードとの間に設置されたすべての前記被制御ブレードを介して行われる前記第二の光空間通信により、前記第一情報を送付する、付記４又は付記５に記載されたブレード装置。
（付記７）
前記被制御ブレードは、前記制御ブレードに対し、第三の光空間通信により、第二情報を送付する、付記１乃至付記６のうちのいずれか一に記載されたブレード装置。
（付記８）
前記無線通信が第一の光空間通信によるものである、前記第一の光空間通信と、前記第三の光空間通信とで、用いられる光の波長が異なる、付記７に記載されたブレード装置。
（付記９）
前記第二情報が送付元の前記被制御ブレードを表す送付元情報を含む、付記７又は付記８に記載されたブレード装置。
（付記１０）
前記第二情報が、前記第一情報への応答情報を含む、付記７乃至付記９のうちのいずれか一に記載されたブレード装置。
（付記１１）
前記被制御ブレードを複数備え、前記制御ブレードと隣接しない前記被制御ブレードである第四被制御ブレードは、前記制御ブレードと隣接する前記被制御ブレードである第三被制御ブレードを介して、前記第三被制御ブレードと前記第四被制御ブレードとの間の第四の光空間通信により、前記制御ブレードに対し、前記第一情報を送付する、付記７乃至付記１０のうちのいずれか一に記載されたブレード装置。
（付記１２）
前記第四被制御ブレードは、前記制御ブレードに対し、二枚以上の前記被制御ブレードを介して行われる前記第四の光空間通信により、前記第二情報を送付する場合がある、付記１１に記載されたブレード装置。
（付記１３）
前記第四被制御ブレードは、前記制御ブレードに対し、前記第四被制御ブレードと前記制御ブレードとの間に設置されたすべての前記被制御ブレードを介して行われる前記第四の光空間通信により、前記第二情報を送付する、付記１１又は付記１２に記載されたブレード装置。
（付記１４）
前記制御ブレードと前記被制御ブレードとが略平行である、付記１乃至付記１３のうちのいずれか一に記載されたブレード装置。
（付記１５）
前記制御ブレードと前記被制御ブレードとがシェルフに格納されている、付記１乃至付記１４のうちのいずれか一に記載されたブレード装置。
（付記１６）
前記制御ブレードと前記被制御ブレードとの間に電気配線がある、付記１乃至付記１５のうちのいずれか一に記載されたブレード装置。
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
この出願は、２０１８年２月２０日に出願された日本出願特願２０１８−０２７５１３を基礎とする優先権を主張し、その開示の全てをここに取り込む。
【符号の説明】
【００９１】
１００    制御ブレード
１０１、２０１１、２０１２、２０１Ｎ、２０１ｖ    基板
１０２    ハブ
１０３    制御処理部
１０６ｂ、２０６１ａ、２０６１ｂ、２０６２ａ、２０６２ｂ、２０６Ｎａ、２０６Ｎｂ、２０６ｖｂ    送信部
１１１ｂ、２１１１ａ、２１１１ｂ、２１１２ａ、２１１２ｂ、２１１Ｎａ、２１１Ｎｂ、２１１ｖｂ    受信部
１１６０ａ、１１６０ｂ、２１６１ａ、２１６１ｂ、２１６２ａ、２１６２ｂ、２１６Ｎａ、２１６Ｎｂ、２１６ｖａ、２１６ｖｂ    コネクタ
２０１、２０２、２０Ｎ、２０ｖ    被制御ブレード
分岐部    ２２１ｖ
２５１１、２５１２、２５１Ｎ、２５１ｖ    被制御処理部
２６１    バックボード
５０１、５０６    ブレード装置
９０１ａ、９０１ｂ、９０１ｃ    矢印
９０６ａ、９０６ｂ    面
Ａ、Ｂ    端子
【図１】
2019163713.tif 000003
【図２】
2019163713.tif 000004
【図３】
2019163713.tif 000005
【図４】
2019163713.tif 000006
【図５】
2019163713.tif 000007
【図６】
2019163713.tif 000008
【図７】
2019163713.tif 000009
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
被制御ブレードを制御するための制御情報及び前記被制御ブレードを監視するための監視情報のうちの少なくとも一方の情報である第一情報を、無線通信により前記被制御ブレードへ送付する制御ブレードと、
受信した前記第一情報に従う処理を行う前記被制御ブレードと、
を備える、ブレード装置。
【請求項２】
前記無線通信が光空間通信である、請求項１に記載されたブレード装置。
【請求項３】
前記第一情報が送付先の前記被制御ブレードを表す送付先情報を含む、請求項１又は請求項２に記載されたブレード装置。
【請求項４】
前記被制御ブレードを複数備え、前記制御ブレードは、隣接しない前記被制御ブレードである第二被制御ブレードに対し、隣接する前記被制御ブレードである第一被制御ブレードを介して、前記第一被制御ブレードと前記第二被制御ブレードとの間の第二の光空間通信により、前記第一情報を送付する、請求項１乃至請求項３のうちのいずれか一に記載されたブレード装置。
【請求項５】
前記制御ブレードは、前記第二被制御ブレードに対し、二枚以上の前記被制御ブレードを介して行われる前記第二の光空間通信により、前記第一情報を送付する場合がある、請求項４に記載されたブレード装置。
【請求項６】
前記制御ブレードは、前記第二被制御ブレードに対し、前記制御ブレードと前記第二被制御ブレードとの間に設置されたすべての前記被制御ブレードを介して行われる前記第二の光空間通信により、前記第一情報を送付する、請求項４又は請求項５に記載されたブレード装置。
【請求項７】
前記被制御ブレードは、前記制御ブレードに対し、第三の光空間通信により、第二情報を送付する、請求項１乃至請求項６のうちのいずれか一に記載されたブレード装置。
【請求項８】
前記無線通信が第一の光空間通信によるものである、前記第一の光空間通信と、前記第三の光空間通信とで、用いられる光の波長が異なる、請求項７に記載されたブレード装置。
【請求項９】
前記第二情報が送付元の前記被制御ブレードを表す送付元情報を含む、請求項７又は請求項８に記載されたブレード装置。
【請求項１０】
前記第二情報が、前記第一情報への応答情報を含む、請求項７乃至請求項９のうちのいずれか一に記載されたブレード装置。
【国際調査報告】
2019163713.tif 000010
2019163713.tif 000011
2019163713.tif 000012
2019163713.tif 000013